(57)【特許請求の範囲】
【請求項１】
原稿を読み取り、読み取りデータに基づいて複数の色成分の画像データを作成して面順次でカラー画像を再生するカラー画像再生装置において、
原稿がブック原稿か又はシート原稿かを判定する原稿判定手段と、
前記原稿判定手段によりシート原稿と判定された場合に、原稿を複数回読み取って各読み取りデータに基づいて前記複数の色成分の画像データを作成し、ブック原稿と判定された場合に、原稿を１回読み取って読み取りデータをメモリに格納し、メモリに格納されたデータに基づいて前記複数の色成分の画像データを作成する手段と、
を備えたことを特徴とするカラー画像再生装置。
【請求項２】
ブック原稿と判定された場合に、原稿を１回読み取って読み取りデータに基づいて第１の色成分の画像データを作成すると共に読み取りデータをメモリに格納し、メモリに格納されたデータに基づいて残りの色成分の画像データを作成することを特徴とする請求項１記載のカラー画像再生装置。
【請求項３】
前記第１の色成分は黒であることを特徴とする請求項２記載のカラー画像再生装置。
【請求項４】
前記原稿判定手段は、ユーザが指定する手段であることを特徴とする請求項１ないし３のいずれか１つに記載のカラー画像再生装置。
【請求項５】
前記原稿判定手段は、原稿抑えの開閉状態に基づいて判定することを特徴とする請求項１ないし３のいずれか１項に記載のカラー画像再生装置。
【請求項６】
前記原稿判定手段は、ブック原稿の影に基づいて判定することを特徴とする請求項１ないし３のいずれか１項に記載のカラー画像再生装置。
【発明の詳細な説明】
【０００１】
【発明の属する技術分野】
本発明は、原稿を読み取り、読み取りデータに基づいて複数の色成分の画像データを作成して面順次でカラー画像を再生するカラー画像再生装置に関し、特にブック原稿のカラー画像を再生する場合に好適なカラー画像再生装置に関する。
【０００２】
【従来の技術】
一般に、１ドラム方式のカラー複写機では、いわゆる面順次方式と呼ばれる方式で形成されるブラック（Ｋ）、イエロー（Ｙ）、マゼンタ（Ｍ）及びシアン（Ｃ）の４色を形成するために原稿を４回スキャニングする。
【０００３】
【発明が解決しようとする課題】
しかしながら、原稿を４回スキャニングする場合、読み取り中の原稿が移動すると版ずれが発生し、ゴーストのような再生画像になるという問題点がある。この現象は、シート原稿の場合にはスキャナの原稿抑えが完全に閉まるので殆ど発生しないが、ブック原稿等の厚い原稿の場合には手で原稿を抑えるので、抑え方加減で原稿が移動して多く発生する。なお、上記問題を解決する方法として原稿を１回スキャンして画像メモリに格納し、この格納データに基づいて４色のデータを作成する方法が考えられるが、この方法ではシート原稿の場合には無駄な処理を行うという問題点がある。
【０００４】
また、画像メモリに格納する際に圧縮を行い、読み出し時に伸長を行う方法が考えられるが、この方法では画像メモリのコストを減少することができるが、圧縮の方式によっては例えばモスキートノイズが発生して文字の画質（特に黒文字の画質）が劣化するという問題点がある。
【０００５】
本発明は上記従来例の問題点に鑑み、ブック原稿のカラー画像を再生する場合に画質を向上させることができると共に、シート原稿の場合には無駄な処理を防止することができるカラー画像再生装置を提供することを目的とする。
【０００６】
【課題を解決するための手段】
第１の手段は上記目的を達成するために、原稿を読み取り、読み取りデータに基づいて複数の色成分の画像データを作成して面順次でカラー画像を再生するカラー画像再生装置において、原稿がブック原稿か又はシート原稿かを判定する原稿判定手段と、前記原稿判定手段によりシート原稿と判定された場合に、原稿を複数回読み取って各読み取りデータに基づいて前記複数の色成分の画像データを作成し、ブック原稿と判定された場合に、原稿を１回読み取って読み取りデータをメモリに格納し、メモリに格納されたデータに基づいて前記複数の色成分の画像データを作成する手段とを備えたことを特徴とする。
【０００７】
第２の手段は、第１の手段においてブック原稿と判定された場合に、原稿を１回読み取って読み取りデータに基づいて第１の色成分の画像データを作成すると共に読み取りデータをメモリに格納し、メモリに格納されたデータに基づいて残りの色成分の画像データを作成することを特徴とする。
【０００８】
第３の手段は、第２の手段において前記第１の色成分が黒であることを特徴とする。
【０００９】
第４の手段は、第１〜第３の手段において前記原稿判定手段が、ユーザが指定する手段であることを特徴とする。
【００１０】
第５の手段は、第１〜第３の手段において前記原稿判定手段が、原稿抑えの開閉状態に基づいて判定することを特徴とする。
【００１１】
第６の手段は、第１〜第３の手段において前記原稿判定手段が、ブック原稿の影に基づいて判定することを特徴とする。
【００１２】
【発明の実施の形態】
以下、図面を参照して本発明の実施の形態を説明する。図１は本発明に係るカラー画像再生装置の一実施形態を示すブロック図、図２は図１のブック原稿判定部の一例を示す説明図、図３は図１のブック原稿判定部の他の例を示す説明図、図４はブック原稿の影を判定するためのマトリクスを示す説明図である。
【００１３】
図１に示すカラースキャナ１では、図２に示すように原稿が原稿台１１上に載置され、その上が原稿抑え１２より押圧され、また、図３に示すように原稿台１１のコーナを基準位置として載置される。このように載置された原稿はカラースキャナ１によりスキャンされて、ＣＣＤなどにより反射率リニア（白＝２５５、黒＝０）な例えば４００ｄｐｉ、８ビットのｒ、ｇ、ｂ信号が生成される。この反射率リニアなｒ、ｇ、ｂ信号はそれぞれ、Ｌｏｇ変換部２Ｒ、２Ｇ、２Ｂにより濃度空間（白＝０、黒＝２５５）のＲ、Ｇ、Ｂ信号に変換される。
【００１４】
このＲ、Ｇ、Ｂ信号は色補正回路３と黒文字領域信号発生回路７に印加される。黒文字領域信号発生回路７はこのＲ、Ｇ、Ｂ信号に基づいて注目画素毎に黒文字領域信号又は非黒文字領域信号を発生して墨発生回路４と減算回路５に出力する。黒文字領域信号発生回路７は公知の種々の方式で注目画素が黒文字領域か否かを判定することができ、例えば本出願人により提案されている特開平４−１４３７８号公報に示す方式を用いることができる。
【００１５】
色補正回路３ではスキャナ１の色分解フィルタの濁り成分やインクの濁り成分が除去され、マスキング方式やメモリマップ方式（補間方式）でＣ、Ｍ、Ｙデータに変換される。一例としてマスキング方式の線形変換式を以下に示す。
【００１６】
Ｃ＝ｋ１１×Ｒ＋ｋ１２×Ｇ＋ｋ１３×Ｂ＋ｋ１４
Ｍ＝ｋ２１×Ｒ＋ｋ２２×Ｇ＋ｋ２３×Ｂ＋ｋ２４
Ｙ＝ｋ３１×Ｒ＋ｋ３２×Ｇ＋ｋ３３×Ｂ＋ｋ３４
但し、ｋは定数であり、実験により予め求められる。
【００１７】
続く墨発生回路４では、このＣ、Ｍ、Ｙデータに基づいてＫデータが生成されると共に、Ｃ、Ｍ、Ｙデータがそのまま出力される。ここで、一般には黒文字は、置き換え量が大きい高ＵＣＲ率が望ましいが、高ＵＣＲ率で絵柄を再生するとざらつきが目立つので好ましくない。そこで、ここでは後述する黒文字領域信号に基づいて、以下のようにＫデータが生成される。
【００１８】
黒文字領域：Ｋ＝ｍｉｎ（ｃ，ｍ，ｙ）
非黒文字領域：Ｋ＝０．６×ｍｉｎ（ｃ，ｍ，ｙ）
続く減算回路５では、墨発生回路４からのＫ、Ｃ、Ｍ、Ｙデータと次式に基づいてカラープリンタ６を駆動するためのＣ’、Ｍ’、Ｙ’データが生成され、このデータとＫデータがカラープリンタ６に出力される。
【００１９】
Ｃ’＝Ｃ−Ｋ
Ｍ’＝Ｍ−Ｋ
Ｙ’＝Ｙ−Ｋ
また減算回路５では、黒文字領域信号に基づいて注目画素が黒文字領域の場合にはＣ’＝Ｍ’＝Ｙ’＝０とし、これにより黒エッジ周辺の色付き現象を防止することができる。カラープリンタ６はこのＫ、Ｃ’、Ｍ’、Ｙ’データに基づいて面順次方式でカラー画像を形成する。ここで、カラープリンタ６が１ドット当たり２５６階調より少ない階調数しか出力できない場合には、多値ディザ処理や多値の誤差拡散を処理を行った後にカラー画像を形成する。
【００２０】
また、カラースキャナ１によりスキャンされたｒ、ｇ、ｂ信号は、符号化／復号化回路８により圧縮されて画像メモリ９に格納され、画像メモリ９に格納された圧縮データは符号化／復号化回路８により伸長されてＬｏｇ変換部２Ｒ、２Ｇ、２Ｂに印加される。
【００２１】
次にブック原稿判定部１０の処理について説明する。先ず、第１の方法として、ユーザが操作パネルから指定可能にする。また、この変形例として、通常のカラー複写機では、ユーザが原稿の種類（例えば印刷原稿、印画紙原稿、地図原稿）を操作パネルから指定可能に構成されているので、地図原稿が指定された場合に自動的にブック原稿と判定するようにしてもよい。
【００２２】
第２の方法として、図２に示すように原稿台１１と原稿抑え１２の各対応する位置に接触センサＡ、Ｂを設けることにより、原稿抑え１２が完全に閉まっていない場合に自動的にブック原稿と判定する。第３の方法として、図３に示すようにブック原稿の場合、原稿の右側の領域▲１▼と、左下側の領域▲２▼が影となるので、この影を検出した自動的にブック原稿と判定する。なお、第３の方法ではＡ４、Ｂ５のような原稿サイズ毎に切り出す影の画像データ領域が異なるので、図４に示すマトリクスを用いる。図４は５×５画素Ｐのマトリクスを示し、領域▲１▼、領域▲２▼について以下の条件を満足する場合、すなわち領域▲１▼については横方向、領域▲２▼については縦方向の影のグラデーションに基づいて自動的にブック原稿と判定する。
【００２３】
領域▲１▼の場合
Ｐ００＜Ｐ０１＜Ｐ０２＜Ｐ０３＜Ｐ０４
＆＆Ｐ１０＜Ｐ１１＜Ｐ１２＜Ｐ１３＜Ｐ１４
＆＆Ｐ２０＜Ｐ２１＜Ｐ２２＜Ｐ２３＜Ｐ２４
＆＆Ｐ３０＜Ｐ３１＜Ｐ３２＜Ｐ３３＜Ｐ３４
＆＆Ｐ４０＜Ｐ４１＜Ｐ４２＜Ｐ４３＜Ｐ４４
領域▲２▼の場合
Ｐ００＜Ｐ１０＜Ｐ２０＜Ｐ３０＜Ｐ４０
＆＆Ｐ０１＜Ｐ１１＜Ｐ２１＜Ｐ３１＜Ｐ４１
＆＆Ｐ０２＜Ｐ１２＜Ｐ２２＜Ｐ３２＜Ｐ４２
＆＆Ｐ０３＜Ｐ１３＜Ｐ２３＜Ｐ３３＜Ｐ４３
＆＆Ｐ０４＜Ｐ１４＜Ｐ２４＜Ｐ３４＜Ｐ４４
次に上記実施形態の動作について説明する。
【００２４】
（１）シート原稿と判定された場合
原稿を４回スキャンし、各スキャンされたデータに基づいてそれぞれＫ、Ｃ、Ｍ、Ｙデータを作成する。なお、この４回のスキャンが終了しない内に、原稿が万が一移動すると画質劣化が発生するが、原稿が原稿抑え１２より押圧されているのでその可能性は少ない。
【００２５】
（２）ブック原稿と判定された場合
原稿を１回スキャンしてこのスキャンされたデータに基づいてＫデータを作成すると共に、スキャンデータを符号化して画像メモリ部９に格納する。次いで画像メモリ部９に格納されたデータを読み出して復号化してＣデータを作成し、次いで同様にしてＭデータ、Ｙデータを作成する。この場合、Ｋデータの画質劣化は発生しないが、Ｃ、Ｍ、Ｙデータについては符号化データに基づいて作成するので、ロスレス符号化復号化方式を用いれば画質劣化は発生しない。但し、ロッシーの符号化復号化方式を用いると画質劣化が発生するが、従来例のように原稿を４回スキャンする際に原稿が移動した場合に比べると画質劣化の程度が非常に少なくなる。
【００２６】
また、圧縮されていないデータに基づいて最初にＫデータを作成するので、黒文字（文字の多くは黒文字である）の画質劣化は全く発生しない。また、Ｃ、Ｍ、Ｙデータについては画質劣化がある程度発生しても、色は人間の目には黒、特に文字部より評価が甘いので、それほど問題は発生せず、したがって、コストパーフォーマンスを向上させることができる。
【００２７】
【発明の効果】
以上説明したように請求項１記載の発明によれば、原稿がブック原稿か又はシート原稿かを判定してシート原稿と判定された場合に、原稿を複数回読み取って各読み取りデータに基づいて複数の色成分の画像データを作成し、ブック原稿と判定された場合に、原稿を１回読み取って読み取りデータをメモリに格納し、メモリに格納されたデータに基づいて複数の色成分の画像データを作成するので、ブック原稿のカラー画像を再生する場合に画質を向上させることができると共に、シート原稿の場合には無駄な処理を防止することができる。
【００２８】
請求項２記載の発明によれば、ブック原稿と判定された場合に、原稿を１回読み取って読み取りデータに基づいて第１の色成分の画像データを作成すると共に読み取りデータをメモリに格納し、メモリに格納されたデータに基づいて残りの色成分の画像データを作成するので、ロッシーな圧縮伸長方式でメモリに格納する場合に第１の色成分の画質劣化を防止することができ、また、処理速度を高めることができる。
【００２９】
請求項３記載の発明によれば、第１の色成分が黒であるので、ロッシーな圧縮伸長方式でメモリに格納する場合に特に黒文字を高品質で再生することができ、また、処理速度を高めることができる。
【００３０】
請求項４記載の発明によれば、原稿判定手段がユーザが指定する手段であるので、既存のブック原稿指定手段を兼用することにより安価に構成することができる。
【００３１】
請求項５記載の発明によれば、原稿判定手段が原稿抑えの開閉状態に基づいて判定するので、自動的にブック原稿を判定することができる。
【００３２】
請求項６記載の発明によれば、原稿判定手段がブック原稿の影に基づいて判定するので、自動的にブック原稿を判定することができる。
【図面の簡単な説明】
【図１】本発明に係るカラー画像再生装置の一実施形態を示すブロック図である。
【図２】図１のブック原稿判定部の一例を示す説明図である。
【図３】図１のブック原稿判定部の他の例を示す説明図である。
【図４】ブック原稿の影を判定するためのマトリクスを示す説明図である。
【符号の説明】
１  カラースキャナ
３  色補正回路
４  墨発生回路
５  減算回路
６  カラープリンタ
８  符号化／復号化回路
９  画像メモリ部
１０  ブック原稿判定部
Ａ，Ｂ  センサ
【図１】
0003605289.tif 000002
【図２】
0003605289.tif 000003
【図３】
0003605289.tif 000004
【図４】
0003605289.tif 000005